(57)【要約】      （修正有）【課題】現像後の画像における濃度表現のバラつきを抑制可能な画像形成装置及び画像形成方法を提供する。【解決手段】画像形成装置は、光源３３１から射出される光を感光体ドラム上に走査させるポリゴンミラーと、感光体ドラムにおいて前記ポリゴンミラーによる光の走査方向に予め定められたトナーの粒径の整数倍に対応する長さの静電潜像が形成されるパルス幅で光源３３１の発光の有無を制御可能なエンジン制御部７と、感光体ドラム上に形成される静電潜像を前記トナーを用いて現像する現像器と、を備える。【選択図】図４
2016071027.tif 000002
【特許請求の範囲】
【請求項１】
光源から射出される光を像担持体上に走査させる光走査部と、
前記像担持体において前記光走査部による光の走査方向に予め定められたトナーの粒径の整数倍に対応する長さの静電潜像が形成されるパルス幅で前記光源の発光の有無を制御可能な光源制御部と、
前記像担持体上に形成される静電潜像を前記トナーを用いて現像する現像器と、
を備える画像形成装置。
【請求項２】
画素の濃度と前記パルス幅とが対応付けられた対応情報が記憶された記憶部を更に備え、
前記光源制御部が、前記対応情報に基づいて、画像データに含まれる画素各々の濃度に対応する前記パルス幅で前記光源の発光の有無を制御する請求項１に記載の画像形成装置。
【請求項３】
前記対応情報では、予め定められた濃度範囲ごとに前記パルス幅が対応付けられている請求項２に記載の画像形成装置。
【請求項４】
前記トナーと同一の粒径のトナーが収容された適合トナー収容部が装着されているか否かを判断する判定処理部を更に備え、
前記光源制御部が、前記判定処理部により前記適合トナー収容部が装着されていると判定された場合に、前記トナーの粒径の整数倍に対応する長さの静電潜像が形成されるパルス幅で前記光源の発光の有無を制御する請求項１〜３のいずれかに記載の画像形成装置。
【請求項５】
光走査部により光源から射出される光が走査される像担持体において前記光走査部による光の走査方向に予め定められたトナーの粒径の整数倍に対応する長さの静電潜像が形成されるパルス幅で前記光源の発光の有無が制御される第１ステップと、
前記像担持体上に形成される静電潜像が前記トナーを用いて現像される第２ステップと、
を含む画像形成方法。
【発明の詳細な説明】
【技術分野】
【０００１】
本発明は、電子写真方式で画像を形成可能な画像形成装置及び画像形成方法に関する。
【背景技術】
【０００２】
一般に、電子写真方式で画像を形成可能なプリンターのような画像形成装置が知られている。この種の画像形成装置では、画像データに応じて変調された光が光源から射出され、前記光が感光体ドラムなどの像担持体上に走査されて前記像担持体上に画像データに対応する静電潜像が形成される。そして、前記像担持体上に形成された静電潜像は、現像器から供給されるトナーによって現像される。
【０００３】
ここで、前記画像形成装置において、前記光源における発光の有無が画像データに応じてパルス幅が変調されたパルス信号に基づいて制御される構成が知られている（例えば、特許文献１参照）。例えば、前記構成の画像形成装置では、画像データに含まれる画素各々の濃度に基づいて、前記画素の濃度に対応するパルス幅のパルス信号が生成される。そして、前記パルス信号に基づいて前記光源の発光の有無が制御されることで、前記像担持体上に前記画素の濃度が主走査方向の長さで表現された静電潜像が形成される。
【先行技術文献】
【特許文献】
【０００４】
【特許文献１】特開平１０−２６４４４３号公報
【発明の概要】
【発明が解決しようとする課題】
【０００５】
しかしながら、前記構成の画像形成装置において、前記像担持体上に形成される一画素の静電潜像の主走査方向の長さは、前記静電潜像の現像に用いられるトナーの粒径の整数倍に必ずしも対応するものではない。この場合、前記静電潜像の長さを前記粒径で割った値に対応する数のトナーが付着することになるが、前記静電潜像には前記粒径より小さい幅の余りが生じることがあり、その余りの部分には前記トナーが付着する場合もあれば付着しない場合もある。そのため、現像後の画像において濃度表現にバラつきが生じるという問題があった。
【０００６】
本発明の目的は、現像後の画像における濃度表現のバラつきを抑制可能な画像形成装置及び画像形成方法を提供することにある。
【課題を解決するための手段】
【０００７】
本発明の一の局面に係る画像形成装置は、光走査部と、光源制御部と、現像器とを備える。前記光走査部は、光源から射出される光を像担持体上に走査させる。前記光源制御部は、前記像担持体において前記光走査部による光の走査方向に予め定められたトナーの粒径の整数倍に対応する長さの静電潜像が形成されるパルス幅で前記光源の発光の有無を制御可能である。前記現像器は、前記像担持体上に形成される静電潜像を前記トナーを用いて現像する。
【０００８】
本発明の他の局面に係る画像形成方法は、第１ステップ及び第２ステップを備える。前記第１ステップでは、光走査部により光源から射出される光が走査される像担持体において前記光走査部による光の走査方向に予め定められたトナーの粒径の整数倍に対応する長さの静電潜像が形成されるパルス幅で前記光源の発光の有無が制御される。前記第２ステップでは、前記像担持体上に形成される静電潜像が前記トナーを用いて現像される。
【発明の効果】
【０００９】
本発明によれば、現像後の画像における濃度表現のバラつきを抑制可能な画像形成装置及び画像形成方法が実現される。
【図面の簡単な説明】
【００１０】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置の光走査装置の構成を示す図である。
【図４】図４は、本発明の実施形態に係る画像形成装置のエンジン制御部の構成を示す図である。
【図５】図５は、本発明の実施形態に係る画像形成装置のエンジン制御部において記憶される画素の濃度とパルス幅とが対応付けられた対応情報の内容を示す図である。
【発明を実施するための形態】
【００１１】
以下、添付図面を参照しながら、本発明の実施形態について説明し、本発明の理解に供する。なお、以下の実施形態は、本発明を具体化した一例であって、本発明の技術的範囲を限定する性格のものではない。
【００１２】
［画像形成装置１０の概略構成］
まず、図１及び図２を参照しつつ、本発明の実施形態に係る画像形成装置１０の概略構成について説明する。ここで、図１は画像形成装置１０の構成を示す断面模式図である。
【００１３】
図１及び図２に示すように、画像形成装置１０は、ＡＤＦ１、画像読取部２、画像形成部３、給紙部４、制御部５、操作表示部６、及びエンジン制御部７を備える。画像形成装置１０は、画像データに基づいて画像を形成するプリンター機能と共に、スキャン機能、ファクシミリ機能、又はコピー機能などの複数の機能を有する複合機である。また、本発明は、プリンター装置、ファクシミリ装置、及びコピー機などの画像形成装置に適用可能である。
【００１４】
ＡＤＦ１は、原稿セット部、複数の搬送ローラー、原稿押さえ、及び排紙部を備え、画像読取部２によって読み取られる原稿を搬送する自動原稿搬送装置である。画像読取部２は、原稿台、読取ユニット、複数のミラー、光学レンズ、及びＣＣＤ（Charge Coupled Device）を備え、前記原稿台に載置された原稿又はＡＤＦ１によって搬送される原稿から画像データを読み取ることが可能である。
【００１５】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、制御部５は、前記ＲＯＭに予め記憶された各種の制御プログラムを前記ＣＰＵを用いて実行することにより画像形成装置１０を統括的に制御する。
【００１６】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００１７】
画像形成部３は、画像読取部２で読み取られた画像データ又は外部のパーソナルコンピューター等の情報処理装置から入力された画像データに基づいて、電子写真方式で画像を形成する画像形成処理（印刷処理）を実行可能である。
【００１８】
具体的に、画像形成部３は、図１に示すように、感光体ドラム３１、帯電装置３２、光走査装置３３、現像器３４、転写ローラー３５、クリーニング装置３６、定着ローラー３７、加圧ローラー３８、及び排紙トレイ３９を備える。そして、画像形成部３では、給紙部４に着脱可能な給紙カセットから供給されるシートに以下の手順で画像が形成され、画像形成後の前記シートが排紙トレイ３９に排出される。なお、前記シートは、紙、コート紙、ハガキ、封筒、及びＯＨＰシートなどのシート材料である。
【００１９】
まず、帯電装置３２によって感光体ドラム３１が所定の電位に一様に帯電される。次に、光走査装置３３により感光体ドラム３１の表面に画像データに基づく光が照射される。これにより、感光体ドラム３１の表面に画像データに対応する静電潜像が形成される。ここに、感光体ドラム３１が、本発明における像担持体の一例である。そして、感光体ドラム３１上の静電潜像は現像器３４によってトナー像として現像（可視像化）される。なお、現像器３４には、画像形成部３に着脱可能なトナーコンテナ３４Ａからトナー（現像剤）が補給される。
【００２０】
続いて、感光体ドラム３１に形成されたトナー像は転写ローラー３５によってシートに転写される。その後、シートに転写されたトナー像は、そのシートが定着ローラー３７及び加圧ローラー３８の間を通過する際に定着ローラー３７で加熱されて溶融定着する。なお、感光体ドラム３１の表面に残存したトナーはクリーニング装置３６で除去される。
【００２１】
ここで、図３を参照しつつ、光走査装置３３について説明する。なお、図３は光走査装置３３の構成を示す斜視図である。
【００２２】
光走査装置３３は、画像データに応じて変調された光を感光体ドラム３１上に走査して感光体ドラム３１上に前記画像データに対応する静電潜像を形成する。具体的に、光走査装置３３は、図３に示すように、光源３３１、ポリゴンミラー３３２、ｆθレンズ３３３、コンデンサレンズ３３４、全反射ミラー３３５、ビームディテクター３３６、これら構成要素を収容する筐体３３７、及び筐体３３７に形成されたスリット３３８を備える。なお、画像形成部３において、光走査装置３３は、感光体ドラム３１の上方であって、スリット３３８の長手方向と感光体ドラム３１の軸方向とが平行となる位置に配置される。
【００２３】
光源３３１は、画像データに応じて変調されたレーザー光を発光する半導体レーザー光源である。ポリゴンミラー３３２は、上面視で時計方向（図３の矢印方向）に高速回転可能であって、回転方向に沿って形成された複数の反射面を備える。光源３３１から出射されたレーザー光は、回転するポリゴンミラー３３２の反射面に反射されることで、図３に示す主走査方向３３０に沿って走査される。なお、光源３３１は、光源駆動部３３Ａ（図２参照）により発光の有無が制御される。光源駆動部３３Ａについては後述する。
【００２４】
ｆθレンズ３３３及びコンデンサレンズ３３４は、ポリゴンミラー３３２で反射されたレーザー光を平行光に変換する。全反射ミラー３３５は、コンデンサレンズ３３４を通過したレーザー光を感光体ドラム３１の表面に向けて反射させる。スリット３３８は、全反射ミラー３３６で反射されたレーザー光を感光体ドラム３１の表面に案内する射出口である。これにより、光源３３１から出射されたレーザー光が、感光体ドラム３１の表面に主走査方向３３０に沿って走査されて、感光体ドラム３１上に画像データに対応する静電潜像が形成される。ここに、光源３３１から射出されるレーザー光を感光体ドラム３１上に走査させるポリゴンミラー３３２が、本発明における光走査部の一例である。また、主走査方向３３０が、本発明における光の走査方向の一例である。
【００２５】
ビームディテクター３３６は、主走査方向３３０の上流側であって全反射ミラー３３５に反射されない走査領域外においてレーザー光の有無を検出する。例えば、ビームディテクター３３６は、受光部を有する光センサーであって、照射されるレーザー光の光量に応じた電気信号（ＢＤ信号）を出力する。ビームディテクター３３６から出力される前記ＢＤ信号は、エンジン制御部７に入力されて、光走査装置３３による感光体ドラム３１上への主走査方向３３０に沿ったレーザー光の走査開始タイミングの決定に用いられる。
【００２６】
ところで、以上に述べた画像形成装置１０の構成と同種の構成を備える画像形成装置において、光源３３１における発光の有無が画像データに応じてパルス幅が変調されたパルス信号に基づいて制御される構成が知られている。例えば、前記構成の画像形成装置では、画像データに含まれる画素各々の濃度に基づいて、前記画素の濃度に対応するパルス幅のパルス信号が生成される。そして、前記パルス信号に基づいて光源３３１の発光の有無が制御されることで、感光体ドラム３１上に前記画素の濃度が主走査方向３３０の長さで表現された静電潜像が形成される。
【００２７】
しかしながら、前記構成の画像形成装置において、感光体ドラム３１上に形成される一画素の静電潜像の主走査方向３３０の長さは、前記静電潜像の現像に用いられるトナーの粒径の整数倍に必ずしも対応するものではない。この場合、前記静電潜像の長さを前記粒径で割った値に対応する数のトナーが付着することになるが、前記静電潜像には前記粒径より小さい幅の余りが生じることがあり、その余りの部分には前記トナーが付着する場合もあれば付着しない場合もある。そのため、現像後の画像において濃度表現にバラつきが生じるという問題があった。これに対し、画像形成装置１０では、以下に説明するように、現像後の画像における濃度表現のバラつきを抑制することが可能である。
【００２８】
具体的に、画像形成装置１０では、トナーコンテナ３４Ａに予め定められた粒径のトナーが収容されており、そのトナーが現像器３４に供給される。そして、光走査装置３３によって感光体ドラム３１上に前記粒径の整数倍に対応する静電潜像が形成されて、感光体ドラム３１上の静電潜像が前記トナーにより現像される。なお、前記粒径のトナーは球形であることが望ましいが、球形に近い形状であれば球形でないトナーであってもよい。
【００２９】
以下、図４を参照しつつ、エンジン制御部７について説明する。ここで、図４における矢印は、エンジン制御部７での画像データの処理の流れを示すものである。なお、図４では、画像形成部３の構成要素である光源駆動部３３Ａ（図２参照）及び光源３３１が破線で記載されているが、エンジン制御部７が光源駆動部３３Ａを備えていてもよい。
【００３０】
エンジン制御部７は、入力される画像データに対応するパルス信号を生成して画像形成部３の光源駆動部３３Ａに出力する。また、エンジン制御部７は、画像形成部３の各構成の動作を制御して画像形成部３に前記印刷処理を実行させる。例えば、エンジン制御部７は、集積回路（ＡＳＩＣ、ＤＳＰ）などの電子回路で構成される。なお、画像形成装置１０において、制御部５の前記ＣＰＵが、前記ＲＯＭに記憶された前記制御プログラムを実行することでエンジン制御部７として機能するものであってもよい。
【００３１】
具体的に、エンジン制御部７は、図４に示すように、画像処理部７１、判定処理部７２、幅情報取得部７３、幅情報記憶部７４、及び信号生成部７５を備える。ここに、幅情報取得部７３及び信号生成部７５を含むエンジン制御部７が、本発明における光源制御部の一例である。
【００３２】
画像処理部７１は、エンジン制御部７に入力される画像データに対して予め定められた画像処理を実行する。例えば、画像処理部７１は、外部の情報処理装置から送信される印刷ジョブに従って前記印刷処理が実行される場合に、前記印刷ジョブに含まれる画像データについて、前記画像データのデータ形式をベクター形式からラスター形式に変換するラスタライズ処理などの画像処理を実行する。これにより、画像処理部７１に入力された画像データは、例えば画素各々の濃度が最小値０（濃度無し）〜最大値６３までの６４段階の階調値で表現されたデータに変換される。画像処理部７１で処理された画像データは、幅情報取得部７３に入力される。
【００３３】
判定処理部７２は、前記粒径のトナーが収容された適合トナー収容部が画像形成部３に装着されているか否かを判断する。判定処理部７２による判定結果は、幅情報取得部７３に入力される。
【００３４】
例えば、前記適合トナー収容部には、予め定められた識別情報を記憶するＩＣチップなどの電子機器が装着されている。そして、判定処理部５１は、画像形成部３に設けられた不図示の読取装置を用いて前記識別情報を読み取ることで、画像形成部３に装着されたトナーコンテナ３４Ａが前記適合トナー収容部であるか否かを判断することが考えられる。
【００３５】
幅情報取得部７３は、画像データに含まれる画素各々の濃度に基づいて、前記画素の濃度が主走査方向３３０における前記粒径の整数倍の長さで表現された静電潜像各々に対応するパルス幅を示す幅情報を取得可能である。
【００３６】
ここで、幅情報記憶部７４には、画素の濃度と前記パルス幅とが対応付られた対応情報が記憶されている。具体的に、幅情報記憶部７４には、予め定められた濃度範囲ごとに前記パルス幅が対応付けられた第１対応情報が記憶されている。ここに、前記第１対応情報が記憶された幅情報記憶部７４が、本発明における記憶部の一例である。
【００３７】
また、幅情報記憶部７４には、前記第１対応情報に加えて、前記画素の濃度と前記パルス幅とが比例関係に基づいて対応付けられた第２対応情報が記憶されている。
【００３８】
そして、幅情報取得部７３は、判定処理部７２による判定結果に応じて、幅情報記憶部７４から前記第１対応情報及び前記第２対応情報のいずれかの前記対応情報を読み出す。具体的に、幅情報取得部７３は、判定処理部７２により前記適合トナー収容部が装着されていると判定された場合には、幅情報記憶部７４から前記第１対応情報を読み出す。また、幅情報取得部７３は、判定処理部７２により前記適合トナー収容部が装着されていないと判定された場合には、幅情報記憶部７４から前記第２対応情報を読み出す。
【００３９】
その後、幅情報取得部７３は、前記画素の濃度に基づいて、読み出した前記対応情報を参照することで、前記画素の濃度の対応する前記パルス幅を示す前記幅情報を取得する。幅情報取得部７３により取得された前記幅情報は、信号生成部７５に入力される。
【００４０】
ここで、幅情報記憶部７４に記憶される前記対応情報の一例として、第１対応情報Ｄ１及び第２対応情報Ｄ２を図５に示す。図５において、横軸は画素の濃度を示すものであって、縦軸はパルス幅を示すものである。なお、図５に示す例では、画素の濃度が０〜６３までの６４段階の階調値で示されており、パルス幅が感光体ドラム３１へのレーザー光の照射時間として示されている。
【００４１】
また、図５に示すパルス幅ａは、前記粒径の整数倍の長さに対応する静電潜像を感光体ドラム３１に形成する際に必要となるレーザー光の照射時間を示すものである。また、パルス幅２ａ、３ａ、４ａ、５ａ、及び６ａは、パルス幅ａの整数倍の値であって、具体的に、パルス幅２ａはパルス幅ａの２倍、パルス幅３ａはパルス幅ａの３倍、パルス幅４ａはパルス幅ａの４倍、パルス幅５ａはパルス幅ａの５倍、パルス幅６ａはパルス幅ａの６倍である。即ち、パルス幅２ａ、３ａ、４ａ、５ａ、及び６ａも、パルス幅ａと同様に、前記粒径の整数倍の長さに対応する静電潜像を感光体ドラム３１に形成する際に必要となるレーザー光の照射時間を示す。
【００４２】
図５に示す第１対応情報Ｄ１では、予め定められた濃度範囲ごとにパルス幅が対応付けされている。即ち、画素の濃度０〜１０に対して、パルス幅０が対応付けされている。また、画素の濃度１０〜２０に対して、パルス幅ａが対応付けされている。同様に、画素の濃度２０〜３０、３０〜４０、４０〜５０、５０〜６０、及び６０〜６３に対して、パルス幅２ａ、３ａ、４ａ、５ａ、及び６ａがそれぞれ対応付けされている。そのため、幅情報取得部７３により、第１対応情報Ｄ１を参照して取得される前記幅情報が示す前記パルス幅は、感光体ドラム３１に主走査方向３３０における長さが前記粒径の整数倍に制限された静電潜像を形成するレーザー光の照射時間を示すものとなる。これにより、感光体ドラム３１に形成される静電潜像で表現される画素の階調数は低下する。しかしながら、前記粒径のトナーが現像に用いられる場合には、前記静電潜像に付着するトナーの数が安定するため、画素ごとの濃度表現のバラつきが抑制される。
【００４３】
一方、図５に示す第２対応情報Ｄ２では、画素の濃度とパルス幅とが比例関係に基づいて対応付けされている。そのため、幅情報取得部７３により、第２対応情報Ｄ２を参照して取得される前記幅情報が示す前記パルス幅は、感光体ドラム３１に主走査方向３３０における長さが前記粒径の整数倍に制限されない静電潜像を形成するレーザー光の照射時間を示すものとなる。これにより、感光体ドラム３１に形成される静電潜像で表現される画素の階調数は維持されるものの、前記静電潜像に付着するトナーの数は不安定なものとなる。
【００４４】
信号生成部７５は、幅情報取得部７３により取得される前記幅情報に基づいて、画像データに対応するパルス信号を生成する。信号生成部７５により生成されたパルス信号は、画像形成部３の光源駆動部３３Ａに入力される。
【００４５】
そして、光源駆動部３３Ａは、信号生成部７５で生成されたパルス信号に基づいて、光源３３１を駆動させる。具体的に、光源駆動部３３Ａは、前記パルス信号を増幅して光源３３１を駆動するために必要な電力を付与し、増幅後の前記パルス信号を光源３３１に供給する。これにより、前記パルス信号におけるパルスの有無及びパルス幅に応じて、光源３３１の発光の有無及び発光時間が制御される。
【００４６】
その後、光源３３１から射出された光は、ポリゴンミラー３３２により感光体ドラム３１上に走査されて、感光体ドラム３１上に静電潜像が形成される。感光体ドラム３１上に形成される静電潜像は、現像器３４によりトナーコンテナ３４Ａに収容されたトナーを用いて現像される。
【００４７】
ここで、画像形成部３に装着されたトナーコンテナ３４Ａが前記適合トナー収容部である場合には、感光体ドラム３１上には主走査方向３３０における長さが前記粒径の整数倍に制限された静電潜像が形成される。また、現像器３４から前記粒径のトナーが感光体ドラム３１上に供給される。そのため、前記静電潜像が前記粒径のトナーにより現像されることで、現像後の画像における濃度表現のバラつきが抑制される。
【００４８】
一方、画像形成部３に装着されたトナーコンテナ３４Ａが前記適合トナー収容部でない場合には、感光体ドラム３１上には主走査方向３３０における長さが前記粒径の整数倍に制限されない静電潜像が形成される。また、現像器３４から前記粒径と異なる粒径のトナーが感光体ドラム３１上に供給される。そのため、前記粒径と異なる粒径のトナーが用いられる場合に、感光体ドラム３１上に主走査方向３３０の長さが前記粒径の整数倍に制限された静電潜像が形成されて、逆に現像後の画像の画質が劣化してしまうことが回避される。
【００４９】
以上に説明した画像形成装置１０では、以下の手順で画像が形成される画像形成処理が実行される。即ち、前記画像形成処理では、幅情報取得部７３及び信号生成部７５により、光走査装置３３により光源から射出される光が走査される感光体ドラム３１において主走査方向３３０に前記粒径の整数倍に対応する長さの静電潜像が形成されるパルス幅で光源３３１の発光の有無が制御される（第１ステップ）。これにより、感光体ドラム３１には、前記トナーの粒径の整数倍に対応する長さの静電潜像が形成される。そして、現像器３４により、感光体ドラム３１上に形成される静電潜像が前記トナーを用いて現像される（第２ステップ）。
【００５０】
このように、画像形成装置１０では、エンジン制御部７が、感光体ドラム３１において主走査方向３３０に前記粒径の整数倍に対応する長さの静電潜像、即ち前記長さに対応する数の前記粒径のトナーを安定して付着させることが可能な静電潜像が形成されるパルス幅で光源３３１の発光の有無を制御可能である。そのため、現像後の画像における濃度表現のバラつきを抑制することが可能である。
【００５１】
また、画像形成装置１０において、前記粒径と異なる粒径のトナーが画像の形成に用いられる場合には、現像後の画像における濃度表現にバラつきが発生することになる。そのため、画像形成装置１０のユーザーとの関係において、画像形成装置１０のメーカーにより製造される純正品のトナーの市場価値を向上させることが可能である。
【符号の説明】
【００５２】
１  ：ＡＤＦ
２  ：画像読取部
３  ：画像形成部
３１：感光体ドラム
３３：光走査装置
３３Ａ：光源駆動部
３３１：光源
３３２：ポリゴンミラー
３４：現像器
３４Ａ：トナーコンテナ
４  ：給紙部
５  ：制御部
６  ：操作表示部
７  ：エンジン制御部
７１：画像処理部
７２：判定処理部
７３：幅情報取得部
７４：幅情報記憶部
７５：信号生成部
１０：画像形成装置
【図１】
2016071027.tif 000003
【図２】
2016071027.tif 000004
【図３】
2016071027.tif 000005
【図４】
2016071027.tif 000006
【図５】
2016071027.tif 000007